(57)【特許請求の範囲】
【請求項１】
昇降路内を昇降する乗りかごと、
前記乗りかごの内部に設置された空調装置と、
前記空調装置の作動により生成されるドレン水を、前記乗りかごの側板に設けられた開口部から前記昇降路の側壁に向かう方向に排出するドレン水排出装置と、
前記昇降路の内部に設置されたエレベータ制御盤、ガバナ装置およびリミットスイッチから成る昇降路内機器とを備え、
前記昇降路内機器が、前記ドレン水排出装置によってドレン水が排出される側壁以外の側壁に配置されていることを特徴とするエレベータ。
【発明の詳細な説明】
【技術分野】
【０００１】
本発明は、昇降路内を乗りかごが昇降するエレベータに関し、特に、乗りかごの内部に空調装置が設置されたエレベータに関する。
【背景技術】
【０００２】
近年、エレベータの乗りかご内の快適性向上のために、乗りかご上方に空調装置を取り付けて冷風を乗りかご内部に導入し、乗りかご内を積極的に冷房する冷房機能付きのエレベータが開発されている（例えば、特許文献１参照。）。
【０００３】
この種の冷房機能付きエレベータでは、空調装置の作動によりドレン水が生成されるので、このドレン水を適切に処理することが必要となる。このドレン水の処理に関し、特許文献１には、ドレン水を空調装置の凝縮器に吹き付けて蒸発させた後、蒸発したドレン水をファンの作動によって昇降路内に送り込み飛散させることが記載されている。
【特許文献１】特開２００３−４８６７７号公報
【発明の開示】
【発明が解決しようとする課題】
【０００４】
しかしながら、空調装置の作動により生成されたドレン水を昇降路内に送り込んで飛散させることで処理する場合、エレベータ制御盤やガバナ装置、リミットスイッチなどの昇降路内に設置された昇降路内機器と乗りかごに設置された空調装置との位置関係によっては、昇降路内に飛散させたドレン水によって昇降路内機器に結露が発生し、その結露により昇降路内機器が機能低下を起こすことが懸念される。
【０００５】
本発明は、以上のような従来の実情に鑑みて創案されたものであって、昇降路内機器に対して結露による機能低下の問題を生じさせることなく、乗りかご内の快適性向上を実現するエレベータを提供することを目的としている。
【課題を解決するための手段】
【０００６】
本発明に係るエレベータは、昇降路内を昇降する乗りかごと、前記乗りかごの内部に設置された空調装置と、前記空調装置の作動により生成されるドレン水を、前記乗りかごの側板に設けられた開口部から前記昇降路の側壁に向かう方向に排出するドレン水排出装置と、前記昇降路の内部に設置されたエレベータ制御盤、ガバナ装置およびリミットスイッチから成る昇降路内機器とを備え、前記昇降路内機器が、前記ドレン水排出装置によってドレン水が排出される側壁以外の側壁に配置されていることを特徴とする。
【発明の効果】
【００１０】
本発明に係るエレベータによれば、空調装置の作動により生成されたドレン水を昇降路内に排出することに起因して昇降路内機器に結露が発生するという不都合を有効に抑制することができ、昇降路内機器の機能低下などの問題を生じさせることなく、乗りかご内の快適性向上を実現することができる。
【発明を実施するための最良の形態】
【００１１】
以下、本発明の実施の形態を図面を参照して詳細に説明する。
【００１２】
［第１の実施形態］
まず、本発明の第１の実施形態について、図１〜図６を参照しながら説明する。図１は本実施形態のエレベータの概略構成を示す図であり、昇降路１内部を横方向から見た様子を示す模式図、図２は図１に示すエレベータの昇降路１内部を上から見下ろしたときの水平投影面を示す図である。また、図３は空調装置１０が設置された乗りかご２内部の様子を示す図、図４は空調装置１０を乗りかご２内部に取付ける様子を乗りかご２の内側から見た図、図５は乗りかご２の側板１１に空調装置１０が取付けられた状態を乗りかご２の外側から見た図、図６は空調装置１０内部の概略構成を示す模式図である。
【００１３】
本実施形態のエレベータは、図１および図２に示すように、昇降路１内を昇降する乗りかご２を備えている。乗りかご２には、当該乗りかご２を昇降路１内でつり下げ支持するためのメインロープ３の一端側が締結されている。また、このメインロープ３の他端側は、乗りかご２と重量バランスを取るためのカウンターウェイト４に締結されている。
【００１４】
これら乗りかご２やカウンターウェイト４の上方には、メインロープ３が掛けられるメインシーブ５が設けられている。このメインシーブ５は、図示しない巻上機の回転軸に取り付けられており、巻上機の駆動力を受けて回転して、メインロープ３を送り動作させるようになっている。そして、メインロープ３が送り動作されることで、乗りかご２がカウンターウェイト４とバランスしながら、図示しないガイドレールに案内されて昇降路１内を昇降する構造となっている。
【００１５】
また、昇降路１内には、乗りかご２の運行状態その他を制御するエレベータ制御盤６、図示しない調速機と連動して乗りかご２の過速時に当該乗りかご２を緊急停止させるためのガバナ装置７、乗りかご２のオーバーランを検知するためのリミットスイッチ８など、各種の昇降路内機器が設置されている。なお、昇降路１内には以上のような代表的な昇降路内機器以外にも、必要に応じて様々な機器が配置されうるが、ここでは、これら昇降路１内に設置される各種の機器のうち、特に、結露の影響により機能低下が生じる虞のある機器を昇降路内機器と呼ぶものとする。
【００１６】
乗りかご２の内部には、図３〜図５に示すように、空調装置１０が設置されている。この空調装置１０は、室内外機一体型のコンパクトな形状に構成されたものであり、例えば、乗りかご２内部の乗降口と対向する背面側の側板２１に、ブラケット２２を介してボルトやナットなどの締結部材により取付けられている。具体的には、乗りかご２の空調装置１０が取付けられる側板２１には、図４および図５に示すように、乗りかご２の内側と外側とを連通するように開口部２３が設けられている。そして、空調装置１０は、室外機として機能する背面側をこの開口部２３から乗りかご２の外部に臨ませるように配置され、締結部材によりブラケット２２を介して側板２１に固定支持されている。
【００１７】
なお、空調装置１０の運転時の振動が乗りかご２に伝わらないようにするために、空調装置１０とブラケット２２との間、あるいはブラケット２２と側板２１との間には、防振ゴムなどの防振部材を配置することが望ましい。また、空調装置１０は、乗りかご２内の乗客収容スペースに影響を与えず、且つ、乗りかご２内の乗客に対して直接冷風を当てることで効率よく冷房効果が得られるようにするために、想定される乗客の身長よりも若干高めの位置、例えば床板から１８５ｃｍ程度の高さに下端部が位置するように、乗りかご２内の側板２１に取付けることが望ましい。なお、ここでは空調装置１０として冷房機能のみを持つものを例示して説明するが、勿論、空調装置１０は冷房機能のほか、暖房機能や除湿機能なども備えたものであってもよい。
【００１８】
空調装置１０の内部には、図６に示すように、蒸発器１１、圧縮機１２、凝縮器１３、減圧装置１４等からなる冷凍サイクルと、送風ファン１５および排気ファン１６と、ドレン受け１７と、ドレン水排出装置１８とが設けられている。
【００１９】
この空調装置１０は、冷凍サイクルで冷媒を循環させるとともに、送風ファン１５および排気ファン１６を作動させることで、乗りかご２内部を冷房する。具体的には、送風ファン１５の作動により、空調装置１０の前面側に設けられた吸気口１０ａ（図３および図４参照）から乗りかご２内の空気を吸入して蒸発器１３に吹き付け、蒸発器１３を通過する冷媒により吸熱されて温度低下した冷風を、空調装置１０の前面側に設けられた送風口１０ｂ（図３および図４参照）から乗りかご２内に送風する。また、排気ファン１６の作動により、空調装置１０の背面側に設けられた吸気口１０ｃ（図４および図５参照）から乗りかご２外部の空気を吸入して凝縮機１３に吹き付け、凝縮機１３を通過する冷媒の熱を吸熱して高温となった空気を、空調装置１０の背面側に設けられた排気口１０ｄ（図４および図５参照）から乗りかご２外部に排出する。
【００２０】
また、空調装置１０の作動時には、吸気口１０ａから吸入した空気中の水分が蒸発器１１の表面で凝縮することでドレン水が生成されるが、このドレン水はドレン受け１７に貯留される。そして、ドレン受け１７に貯留されたドレン水が、ドレン水排出装置１８の作動により、空調装置１０の背面側に設けられたドレン水排出口１０ｅ（図４および図５参照。）から空調装置１０の外部に導かれ、乗りかご２の側板２１に設けられた開口部２３から、昇降路１の側壁に向かう方向で、乗りかご２の外部に排出される。
【００２１】
ドレン水排出装置１８は、例えば、ドレン受け１７に貯留されたドレン水を超音波振動子などにより振動させて霧化し、この霧状となったドレン水を排気ファン１６の送風により、側板２１に設けられた開口部２３から昇降路１の側壁に向かう方向に排出する。なお、ドレン水排出装置１８としては、以上の構成以外にも、例えば、ドレン受け１７に貯留されたドレン水を凝縮器１３表面に接触させて蒸発させ、その蒸気を排気ファン１６の送風により、側板２１に設けられた開口部２３から昇降路１の側壁に向かう方向に排出するものなど、他の構成のものを用いるようにしてもよい。また、ここではドレン水排出装置１８が空調装置１０に内蔵されているものとして説明するが、ドレン水排出装置１８は空調装置１０と別体の装置として構成されていてもよい。
【００２２】
以上のように、本実施形態のエレベータでは、乗りかご２内部の空調装置１０の作動により生成されたドレン水を、ドレン水排出装置１８により例えば霧状にして乗りかご２外部の昇降路１に排出するようにしているが、昇降路１内においてドレン水排出装置１８により排出されたドレン水が到達する範囲に上述したエレベータ制御盤６、ガバナ装置７、リミットスイッチ８などの昇降路内機器が設置されていると、これら昇降路内機器に結露が発生して、機能低下を招く要因となる。そこで、本実施形態のエレベータでは、これら結露によって機能低下が生じる可能性のある昇降路内機器を、ドレン水排出装置１８により排出されるドレン水の可到範囲Ａ（図１および図２参照）の外部に配置するようにしている。具体的には、図２に示すように、ドレン水排出装置１８により排出されるドレン水の可到範囲Ａに対して水平投影面上で重ならない位置、例えば水平投影面上でドレン水の排出方向とは異なる方向に、昇降路内機器を配置する。これにより、ドレン水排出装置１８により排出されたドレン水の影響で昇降路内機器に結露が発生し、昇降路内機器の機能低下を招くといった不都合を未然に防止することができる。
【００２３】
ここで、ドレン水の可到範囲Ａとは、ドレン水排出装置１８の作動により例えば霧化した状態で昇降路１壁面に向かって排出されたドレン水が到達しうる最大の範囲である。ドレン水排出装置１８により排出されたドレン水が到達しうる範囲は、ドレン水排出装置１８（排気ファン１６）の性能やその動作状態、昇降路１内の温度、湿度といった環境条件などにより変化するが、予め実験などを行うことでその最大範囲を求めることができる。本実施形態では、環境条件を結露が生じやすい露付き条件（温度３０℃、湿度７８％）として、実際に乗りかご２内の空調装置１０やドレン水排出装置１８を作動させ、ドレン水排出口１０ｅと対向する位置にドレン水排出口１０ｅからの距離を変えながら物体を配置して、この物体に付着した結露の状態を観察することで、ドレン水が到達しうる最大範囲を求めてこれをドレン水の可到範囲Ａとしている。
【００２４】
なお、空調装置１０やドレン水排出装置１８は乗りかご２に設置されているので、乗りかご２が昇降路１内を昇降することで、ドレン水が到達する位置も上下方向に変化する。したがって、ここで言うドレン水の可到範囲Ａとは、乗りかご２が昇降する最下階から最上階に亘って連続する一連の範囲である。
【００２５】
以上説明したように、本実施形態のエレベータによれば、エレベータ制御盤６、ガバナ装置７、リミットスイッチ８などの昇降路内機器が、ドレン水排出装置１８により排出されるドレン水の可到範囲Ａの外部、具体的には、例えば、ドレン水排出装置１８により排出されるドレン水の可到範囲Ａに対して水平投影面上で重ならない位置に配置するようにしているので、空調装置１０の作動により生成されたドレン水を昇降路内に排出することに起因して昇降路内機器に結露が発生するという不都合を有効に抑制することができ、昇降路内機器の機能低下などの問題を生じさせることなく、乗りかご２内の快適性向上を実現することができる。
【００２６】
なお、以上の説明では、乗りかご２に対する空調装置１０の設置位置に応じて定まるドレン水の可到範囲Ａを基準に、このドレン水の可到範囲Ａの外部に昇降路内機器を配置するようにしているが、勿論、乗りかご２に対する空調装置１０の設置位置を調整することで、ドレン水の可到範囲Ａの外部に昇降路内機器が位置するようにしてもよい。例えば、上述した例では、空調装置１０を乗りかご２内部の乗降口と対向する背面側の側板２１に取付けるようにしているが、背面側の側板２１に空調装置１０を取付けるとドレン水の可到範囲Ａが昇降路内機器の設置位置と重なってしまう場合に、その取付け位置を例えば乗りかご２内部の乗降口の左右に位置する側板の何れかに変更することで、ドレン水の可到範囲Ａと昇降路内機器の設置位置が重ならないようにしてもよい。
【００２７】
［第２の実施形態］
次に、本発明の第２の実施形態について、図７を参照しながら説明する。図７は、本実施形態のエレベータの要部を示す模式図であり、昇降路１の最下階近傍を横方向から見た様子を示す図である。
【００２８】
本実施形態のエレベータは、昇降路内機器を、ドレン水排出装置１８により排出されるドレン水の可到範囲Ａに対して、上下方向で異なる位置に配置するようにしたものである。
【００２９】
上述した第１の実施形態のように、昇降路内機器をドレン水の可到範囲Ａに対して水平投影面上で重ならない位置に全て配置可能であれば、ドレン水排出に起因する昇降路内機器の結露発生を有効に抑制できる。しかしながら、昇降路１内のスペース上の制約や、昇降路内機器のレイアウト上の制約などによっては、全ての昇降路内機器をドレン水の可到範囲Ａに対して水平投影面上で重ならない位置に配置することが難しい場合もある。
【００３０】
このような場合には、昇降路内機器の一部（図７に示す例ではエレベータ制御盤６）を、ドレン水の可到範囲Ａに対して上下方向で異なる位置に配置することが有効である。すなわち、ドレン水の可到範囲Ａは、上述したように、乗りかご２が昇降する最下階から最上階に亘って連続する一連の範囲として規定されるが、図７に示すように、乗りかご２が最下階に位置しているときのドレン水可到範囲Ａよりもさらに下方の昇降路１内スペースにエレベータ制御盤６などの昇降路内機器を設置すれば、この昇降路内機器の設置位置は、水平投影面上においてはドレン水の可到範囲Ａと重なっているものの、ドレン水の可到範囲Ａの外部となる。また、乗りかご２が最上階に位置しているときのドレン水可到範囲Ａよりもさらに上方の昇降路１内スペースにエレベータ制御盤６などの昇降路内機器を設置した場合にも、この昇降路内機器の設置位置は、水平投影面上においてはドレン水の可到範囲Ａと重なっているものの、ドレン水の可到範囲Ａの外部となる。
【００３１】
以上のように、本実施形態のエレベータにおいては、ドレン水排出装置１８により排出されるドレン水の可到範囲Ａと水平投影面上で重ならない位置に配置できない昇降路内機器の一部（図７に示す例ではエレベータ制御盤６）を、ドレン水の可到範囲Ａに対して上下方向で異なる位置に配置するようにしているので、第１の実施形態と同様に、空調装置１０の作動により生成されたドレン水を昇降路内に排出することに起因して昇降路内機器に結露が発生するという不都合を有効に抑制することができ、昇降路内機器の機能低下などの問題を生じさせることなく、乗りかご２内の快適性向上を実現することができる。
【００３２】
なお、以上の例では、昇降路内機器の一部のみを、ドレン水の可到範囲Ａに対して上下方向で異なる位置に配置するようにしているが、全ての昇降路内機器をドレン水の可到範囲Ａに対して上下方向で異なる位置に配置するようにした場合にも、同様の効果が得られることは勿論である。
【００３３】
［第３の実施形態］
次に、本発明の第３の実施形態について、図８を参照しながら説明する。図８は、本実施形態のエレベータの要部を示す模式図であり、昇降路１内部を上から見下ろした様子を示す図である。
【００３４】
本実施形態のエレベータは、図８に示すように、乗りかご２の側板２１に設けた開口部２３、すなわち空調装置１０のドレン水排出口１０ｅが設けられた背面側を乗りかご２の外部に露出させる開口部２３を基準とし、この開口部２３から昇降路内機器の設置位置までの距離Ｌ１が、ドレン水の可到範囲Ａの開口部２３からの最大距離Ｌ２よりも大となるように、昇降路内機器を設置するようにしたものである。
【００３５】
昇降路内機器をドレン水排出装置１８により排出されるドレン水の可到範囲Ａに対して水平投影面上で重ならない位置に設置するには、第１の実施形態で説明したように、水平投影面上でドレン水の排出方向とは異なる方向に昇降路内機器を配置すればよいが、昇降路１内のスペース上の制約や、昇降路内機器のレイアウト上の制約などによっては、全ての昇降路内機器をドレン水の排出方向とは異なる方向に設置できない場合もある。
【００３６】
このような場合、図８に示すように、昇降路１内においてドレン水の排出方向にある程度のスペースを確保できるのであれば、昇降路内機器の一部（図８に示す例ではエレベータ制御盤６）を、ドレン水の排出方向と一致する方向で、且つ、乗りかご１の側板２１に設けられた開口部２３から当該昇降路内機器までの距離Ｌ１が、ドレン水の可到範囲Ａの開口部２３からの最大距離Ｌ２よりも大となる位置に設置するようにしてもよい。この場合も、昇降路内機器の一部（図８に示す例ではエレベータ制御盤６）は、ドレン水排出装置１８により排出されるドレン水の可到範囲Ａに対して水平投影面上で重ならない位置、すなわちドレン水の可到範囲Ａの外部に設置されることになる。
【００３７】
以上のように、本実施形態のエレベータにおいては、水平投影面上でドレン水の排出方向とは異なる方向に配置できない昇降路内機器の一部（図８に示す例ではエレベータ制御盤６）を、乗りかご１の側板２１に設けられた開口部２３から当該昇降路内機器までの距離Ｌ１が、ドレン水の可到範囲Ａの開口部２３からの最大距離Ｌ２よりも大となる位置に設置するようにしているので、第１の実施形態と同様に、空調装置１０の作動により生成されたドレン水を昇降路内に排出することに起因して昇降路内機器に結露が発生するという不都合を有効に抑制することができ、昇降路内機器の機能低下などの問題を生じさせることなく、乗りかご２内の快適性向上を実現することができる。
【００３８】
なお、以上の例では、昇降路内機器の一部のみを、開口部２３からの距離Ｌ１がドレン水の可到範囲Ａの開口部２３からの最大距離Ｌ２よりも大となる位置に設置するようにしているが、全ての昇降路内機器を、開口部２３からの距離Ｌ１がドレン水の可到範囲Ａの開口部２３からの最大距離Ｌ２よりも大となる位置に設置するようにした場合にも、同様の効果が得られることは勿論である。
【００３９】
［第４の実施形態］
次に、本発明の第４の実施形態について、図９を参照しながら説明する。図９は、本実施形態のエレベータの要部を示す模式図であり、昇降路１内部を上から見下ろした様子を示す図である。
【００４０】
本実施形態のエレベータは、図９に示すように、昇降路内機器のうちでドレン水の可到範囲Ａ内に設置されている昇降路内機器（図９に示す例ではエレベータ制御盤６）に、乗りかご２の側板２１に設けた開口部２３、すなわち空調装置１０のドレン水排出口１０ｅが設けられた背面側を乗りかご２の外部に露出させる開口部２３と対向する側を覆う防水カバー３０を設けるようにしたものである。
【００４１】
第１乃至第３の実施形態で説明したように、全ての昇降路内機器をドレン水の可到範囲Ａの外部に設置できれば、ドレン水排出に起因する昇降路内機器の結露発生を有効に抑制できる。しかしながら、昇降路１内のスペース上の制約や、昇降路内機器のレイアウト上の制約などによっては、一部の昇降路内機器をドレン水の可到範囲Ａ内に設置せざるを得ない場合も想定される。
【００４２】
このような場合には、図９に示すように、ドレン水の可到範囲Ａ内に設置される昇降路内機器（図９に示す例ではエレベータ制御盤６）に、乗りかご２の開口部２３と対向する側を覆うように防水カバー３０を設けて、ドレン水を遮断することが有効である。なお、防水カバー３０は、ドレン水排出装置１８から排出されるドレン水を透過させないものであればどのようなものでも採用可能であり、材質や形状などは特に限定されるものではない。
【００４３】
以上のように、本実施形態のエレベータにおいては、ドレン水の可到範囲Ａ内に設置される一部の昇降路内機器（図９に示す例ではエレベータ制御盤６）については、乗りかご２の開口部２３と対向する側を覆うように防水カバー３０を設けてドレン水を遮断するようにしているので、第１乃至第３の実施形態と同様に、空調装置１０の作動により生成されたドレン水を昇降路内に排出することに起因して昇降路内機器に結露が発生するという不都合を有効に抑制することができ、昇降路内機器の機能低下などの問題を生じさせることなく、乗りかご２内の快適性向上を実現することができる。
【００４４】
［第５の実施形態］
次に、本発明の第５の実施形態について、図１０を参照しながら説明する。図１０は、本実施形態のエレベータが備えるエレベータ制御盤６の特徴的な機能を示した機能ブロック図である。
【００４５】
エレベータ制御盤６は、上述したように、乗りかご２の運行状態その他を制御する機器であるが、本実施形態のエレベータでは、図１０に示すように、このエレベータ制御盤６に、乗りかご２の待機階を設定するための乗りかご待機階設定部６ａの機能と、かご呼びやホール呼びがない状態のときに、乗りかご２を待機階設定部６ａで設定された待機階に移動させる乗りかご移動制御部６ｂの機能とが設けられている。そして、乗りかご待機階設定部６ａに設定された待機階が、当該待機階に乗りかご２が位置するときに、ドレン水排出装置１８により排出されるドレン水の可到範囲Ａ内に昇降路内機器が存在しない階床とされている。
【００４６】
第１乃至第３の実施形態で説明したように、全ての昇降路内機器をドレン水の可到範囲Ａの外部に設置できれば、ドレン水排出に起因する昇降路内機器の結露発生を有効に抑制できる。しかしながら、昇降路１内のスペース上の制約や、昇降路内機器のレイアウト上の制約などによっては、一部の昇降路内機器をドレン水の可到範囲Ａ内に設置せざるを得ない場合も想定される。ここで、ドレン水の可到範囲Ａは、上述したように、乗りかご２が昇降する最下階から最上階に亘って連続する一連の範囲として設定されており、一部の昇降路内機器がドレン水の可到範囲Ａ内に設置されていても、この昇降路内機器の設置位置に対応する階床以外に乗りかご２が位置しているときは、ドレン水排出装置１８から排出されるドレン水はこの昇降路内機器に到達しない。つまり、一部の昇降路内機器がドレン水の可到範囲Ａ内に設置されていたとしても、この昇降路内機器の設置位置に対応する階床に乗りかご２が位置する時間をできるだけ少なくすれば、この昇降路内機器に結露が発生する問題を極力抑制できる。
【００４７】
そこで、本実施形態のエレベータでは、ドレン水の可到範囲Ａ内に昇降路内機器が設置されている階床以外の階床、すなわち、その階床に乗りかご２が位置するときにドレン水排出装置１８から排出されるドレン水が昇降路内機器に到達することがない階床に、乗りかご２の待機階を設定して、その情報をエレベータ制御盤６の乗りかご待機階設定部６ａに記憶させるようにしている。そして、エレベータ制御盤６の乗りかご移動制御部６ｂが、例えば巻上機に設置した図示しないかご位置検出装置からのかご位置信号などをもとに乗りかご２の現在位置を判定するとともに、かご呼び信号やホール呼び信号に基づいてかご呼びやホール呼びの状態を判定し、かご呼びやホール呼びがない状態で、乗りかご２が乗りかご待機階設定部６ａに設定されている待機階以外の階床に位置しているときには、巻上機に制御信号を出力して乗りかご２を待機階設定部６ａで設定された待機階に移動させ、その待機階で待機させるようにしている。
【００４８】
以上のように、本実施形態のエレベータにおいては、乗りかご２の待機階を、当該待機階に乗りかご２が位置するときにドレン水排出装置１８により排出されるドレン水が昇降路内機器に到達しない階床に設定し、かご呼びやホール呼びがないときには、乗りかご２を設定した待機階で待機させるようにしているので、一部の昇降路内機器がドレン水の可到範囲Ａ内に設置されていたとしても、ドレン水の排出によりこの昇降路内機器に結露が発生する問題を極力抑制することができ、昇降路内機器の機能低下などの問題を極力生じさせないようにしながら、乗りかご２内の快適性向上を実現することができる。
【００４９】
［第６の実施形態］
次に、本発明の第６の実施形態について、図１１を参照しながら説明する。図１１は、本実施形態のエレベータが備えるエレベータ制御盤６と、空調装置１０およびドレン水排出装置１８の動作を制御する空調制御装置４０と、ドレン水排出装置１８との機能的なつながりを示したブロック図である。
【００５０】
本実施形態のエレベータは、ドレン水排出装置１８により排出されるドレン水の可到範囲Ａと昇降路内機器の設置位置とが重なる昇降位置を乗りかご２が通過または停止する際に、空調装置１０およびドレン水排出装置１８の動作を制御する空調制御装置４０が、ドレン水排出装置１８の動作を一時的に停止させる制御を行うようにしたものである。
【００５１】
第１乃至第３の実施形態で説明したように、全ての昇降路内機器をドレン水の可到範囲Ａの外部に設置できれば、ドレン水排出に起因する昇降路内機器の結露発生を有効に抑制できる。しかしながら、昇降路１内のスペース上の制約や、昇降路内機器のレイアウト上の制約などによっては、一部の昇降路内機器をドレン水の可到範囲Ａ内に設置せざるを得ない場合も想定される。ただし、一部の昇降路内機器がドレン水の可到範囲Ａ内に設置されていたとしても、この昇降路内機器の設置位置に対応する昇降位置を乗りかご２が通過または停止する際にはドレン水排出装置１８の動作を停止させ、ドレン水排出装置１８からドレン水を排出させないようにすれば、この昇降路内機器に結露が発生することを有効に防止できる。
【００５２】
そこで、本実施形態のエレベータでは、図１１に示すように、例えば巻上機に設置した図示しないかご位置検出装置からエレベータ制御盤６に入力されたかご位置信号を、空調装置１０およびドレン水排出装置１８の動作を制御する空調制御装置４０が取得し、この空調制御装置４０が、かご位置信号に基づいて、ドレン水排出装置１８により排出されるドレン水の可到範囲Ａと昇降路内機器の設置位置とが重なる昇降位置を乗りかご２が通過または停止していると判断したときに、ドレン水排出装置１８に対して制御信号を出力してドレン水排出装置１８の動作を停止させ、ドレン水排出装置１８からドレン水が排出されないようにしている。
【００５３】
以上のように、本実施形態のエレベータにおいては、ドレン水排出装置１８により排出されるドレン水の可到範囲Ａと昇降路内機器の設置位置とが重なる昇降位置を乗りかご２が通過または停止する際に、空調制御装置４０がドレン水排出装置１８の動作を一時的に停止させる制御を行うようにしているので、空調装置１０の作動により生成されたドレン水を昇降路内に排出することに起因して昇降路内機器に結露が発生するという不都合を有効に抑制することができ、昇降路内機器の機能低下などの問題を生じさせることなく、乗りかご２内の快適性向上を実現することができる。
【００５４】
なお、以上の例では、空調制御装置４０が空調装置１０の動作とドレン水排出装置１８の動作とを統括的に制御するようにしているが、ドレン水排出装置１８のみを単独で制御する専用の制御装置を設けるようにして、この制御装置が、上述した空調制御装置４０と同様のドレン水排出装置１８の動作制御を行うようにしてもよい。
【００５５】
以上、本発明を適用したエレベータの具体例として第１乃至第６の実施形態を例示して具体的に説明したが、本発明の技術的範囲は、以上の各実施形態の説明で開示した技術事項に限定されるものではなく、以上の開示内容をもとに一般的な技術常識も鑑みて当然に導かれる変形例、応用例も含まれるものである。
【図面の簡単な説明】
【００５６】
【図１】本発明の第１の実施形態に係るエレベータの概略構成を示す図であり、昇降路内部を横方向から見た様子を示す模式図。
【図２】図１に示すエレベータの昇降路内部を上から見下ろしたときの水平投影面を示す図。
【図３】空調装置が設置された乗りかご内部の様子を示す図。
【図４】空調装置を乗りかご内部に取付ける様子を乗りかごの内側から見た図。
【図５】乗りかごの側板に空調装置が取付けられた状態を乗りかごの外側から見た図。
【図６】空調装置内部の概略構成を示す模式図。
【図７】本発明の第２の実施形態に係るエレベータの要部を示す図であり、昇降路の際下階近傍を横方向から見た様子を示す模式図。
【図８】本発明の第３の実施形態に係るエレベータの要部を示す図であり、昇降路内部を上から見下ろした様子を示す模式図。
【図９】本発明の第４の実施形態に係るエレベータの要部を示す図であり、昇降路内部を上から見下ろした様子を示す模式図。
【図１０】本発明の第５の実施形態に係るエレベータが備えるエレベータ制御盤の機能ブロック図。
【図１１】本発明の第６の実施形態に係るエレベータが備えるエレベータ制御盤と、空調装置およびドレン水排出装置の動作を制御する空調制御装置と、ドレン水排出装置との機能的なつながりを示したブロック図。
【符号の説明】
【００５７】
１  昇降路
２  乗りかご
６  エレベータ制御盤
６ａ  乗りかご待機階設定部
６ｂ  乗りかご移動制御部
７  ガバナ装置
８  リミットスイッチ
１０  空調装置
１８  ドレン水排出装置
２１  側板
２３  開口部
３０  防水カバー
４０  空調制御装置
【図１】
0005263724.tif 000002
【図２】
0005263724.tif 000003
【図３】
0005263724.tif 000004
【図４】
0005263724.tif 000005
【図５】
0005263724.tif 000006
【図６】
0005263724.tif 000007
【図７】
0005263724.tif 000008
【図８】
0005263724.tif 000009
【図９】
0005263724.tif 000010
【図１０】
0005263724.tif 000011
【図１１】
0005263724.tif 000012